(57)【特許請求の範囲】
【請求項１】
第１冷凍サイクル回路（１）と、
第２冷凍サイクル回路（２）と、
熱源（３）を冷却し車室内に送風する空調風を温めるヒータコア（３４）を有する温水回路（５）と、
前記第１冷凍サイクル回路の作動と前記第２冷凍サイクル回路の作動と前記温水回路の作動とを制御する制御装置（６）と、
前記温水回路を流れる温水と前記第１冷凍サイクル回路の冷媒との熱交換を行う第１水冷媒熱交換器（１３）と、
前記温水回路を流れる温水と前記第２冷凍サイクル回路の冷媒との熱交換を行う第２水冷媒熱交換器（１４）と、を備え、
前記第１冷凍サイクル回路と前記第２冷凍サイクル回路とは、夫々第１室外熱交換器（１５ａ）、及び第２室外熱交換器（１５ｂ）を介して空気中から熱を汲み上げるヒートポンプを構成し、
前記制御装置は、
前記第１冷凍サイクル回路が前記第１室外熱交換器における除霜のための除霜運転になると、前記温水回路の温水の温度と前記第１冷凍サイクル回路を流れる冷媒の高圧吐出ガス温度とを比較し、前記第１冷凍サイクル回路が吸熱できる状態であると判定した場合は、前記第１水冷媒熱交換器に前記温水回路の温水を流す第１流量制御手段（ステップＳ４２）と、
前記第２冷凍サイクル回路が前記第２室外熱交換器における除霜のための除霜運転になると、前記温水回路の温水の温度と前記第２冷凍サイクル回路を流れる冷媒の高圧吐出ガス温度とを比較し、前記第２冷凍サイクル回路が吸熱できる状態であると判定した場合は、前記第２水冷媒熱交換器に前記温水回路の温水を流す第２流量制御手段（ステップＳ５２）と、を備えることを特徴とする冷凍サイクル装置。
【請求項２】
第１冷凍サイクル回路（１）と、
第２冷凍サイクル回路（２）と、
熱源（３）を冷却し車室内に送風する空調風を温めるヒータコア（３４）を有する温水回路（５）と、
前記第１冷凍サイクル回路の作動と前記第２冷凍サイクル回路の作動と前記温水回路の作動とを制御する制御装置（６）と、
前記温水回路と前記第１冷凍サイクル回路との熱交換を行う第１水冷媒熱交換器（１３）と、
前記温水回路と前記第２冷凍サイクル回路との熱交換を行う第２水冷媒熱交換器（１４）と、
前記第１水冷媒熱交換器と前記第２水冷媒熱交換器とを循環する独立温水回路（４３）と、
前記独立温水回路を前記温水回路から分離独立させて温水を循環して流す独立ウォータポンプ（４２）と、
前記温水回路から前記独立温水回路へ流れる温水の流れを制御する切換弁（７）と、を備え、
前記第１冷凍サイクル回路と前記第２冷凍サイクル回路とは、夫々第１室外熱交換器（１５ａ）、及び第２室外熱交換器（１５ｂ）を介して空気中から熱を汲み上げるヒートポンプを構成し、
前記制御装置は、前記第１冷凍サイクル回路が前記第１室外熱交換器における除霜のための除霜運転になると、前記温水回路の温水の温度と前記第１冷凍サイクル回路を流れる冷媒の高圧吐出ガス温度とを比較し、前記第１冷凍サイクル回路が吸熱できる状態であると判定した場合は、前記独立ウォータポンプと前記切換弁との作動を制御して、前記第１水冷媒熱交換器に前記温水回路から分離独立された前記独立温水回路の温水を流すことを特徴とする冷凍サイクル装置。
【請求項３】
前記第１冷凍サイクル回路と前記第２冷凍サイクル回路とのうち一方の冷凍サイクル回路が除霜運転になると、他方の冷凍サイクル回路では除霜運転を禁止し、この他方の冷凍サイクル回路と前記温水回路との熱交換を行うことを特徴とする請求項１又は２に記載の冷凍サイクル装置。
【請求項４】
前記温水回路は、車両に搭載されたエンジンを前記熱源として構成され、前記温水回路には、前記エンジンと、前記エンジンを冷却する温水となるエンジン冷却水を循環させるウォータポンプ（３１）と、燃料を燃やして温水の温度を上昇させる燃焼器（３２）と、温水の温度を外気に放熱するラジエータ（３３）と、温水と前記車両の室内に向かう空調風との熱交換を行うヒータコア（３４）と、が設けられていることを特徴とする請求項１から３のいずれか一項に記載の冷凍サイクル装置。
【請求項５】
前記第１冷凍サイクル回路及び前記第２冷凍サイクル回路とは、夫々、冷媒を圧縮する圧縮機（９ａ）、（９ｂ）と、空調風と熱交換して空調風を冷房するエバポレータを成す室内熱交換器（１７ａ、１７ｂ）と、外部の空気と熱交換する前記第１室外熱交換器（１５ａ）、及び前記第２室外熱交換器（１５ｂ）と、高圧の冷媒を流量制御して前記第１室外熱交換器（１５ａ）と前記第２室外熱交換器（１５ｂ）に導く電子膨張弁（１８ａ）、（１８ｂ）とを備え、
前記第１冷凍サイクル回路及び前記第２冷凍サイクル回路は、夫々、前記温水回路の温水が流れる前記第１水冷媒熱交換器（１３）と前記第２水冷媒熱交換器（１４）とに夫々高温高圧の冷媒を流すことを特徴とする請求項１から４のいずれか一項に記載の冷凍サイクル装置。
【請求項６】
更に、前記第１水冷媒熱交換器と前記第２水冷媒熱交換器との夫々の温水の流入側と流出側とに夫々設けられた合計４個の上流側切換弁（７ａ、７ｃ）と、下流側切換弁（７ｂ、７ｄ）とを備え、
前記制御装置は、前記上流側切換弁から前記下流側切換弁の作動を切り替えて、温水が前記第１水冷媒熱交換器と前記第２水冷媒熱交換器とを並列に流れる流路を形成する並列流路形成手段（ステップＳ９５、ステップＳ１０５）と、温水が前記第１水冷媒熱交換器と前記第２水冷媒熱交換器とを直列に流れる直列流路を形成する直列流路形成手段（ステップＳ９２、ステップＳ１０２）と、を備えることを特徴とする請求項１から５のいずれか一項に記載の冷凍サイクル装置。
【請求項７】
前記直列流路は、除霜側でない前記第１水冷媒熱交換器又は前記第２水冷媒熱交換器に先に温水を流し、この下流側において除霜側の前記第１水冷媒熱交換器又は前記第２水冷媒熱交換器に温水を流す流路を構成することを特徴とする請求項６に記載の冷凍サイクル装置。
【請求項８】
前記制御装置は、前記第１冷凍サイクル回路が除霜運転の場合において、前記第１冷凍サイクル回路の吐出温度が温水の温度より高い場合は、温水と除霜中の前記第１冷凍サイクル回路との熱伝達を阻止し、
前記第１冷凍サイクル回路の吐出温度が温水の温度より高くない場合は、前記第１流量制御手段により、温水と除霜中の前記第１冷凍サイクル回路との熱伝達を行い、更に、前記制御装置は、除霜中でない前記第２冷凍サイクル回路により温水を加熱させることを特徴とする請求項１に記載の冷凍サイクル装置。
【請求項９】
前記制御装置は、前記第２冷凍サイクル回路が除霜運転の場合において、前記第２冷凍サイクル回路の吐出温度が温水の温度より高い場合は、温水と除霜中の前記第２冷凍サイクル回路との熱伝達を阻止し、
前記第２冷凍サイクル回路の吐出温度が温水の温度より高くない場合は、前記第２流量制御手段により温水と除霜中の前記第２冷凍サイクル回路との熱伝達を行い、更に、除霜中でない前記第１冷凍サイクル回路により温水を加熱させることを特徴とする請求項１に記載の冷凍サイクル装置。
【請求項１０】
前記直列流路形成手段は、前記上流側切換弁と前記下流側切換弁とによって前記第１水冷媒熱交換器と、前記第２水冷媒熱交換器とを直列に流れる温水の向きを前記第２水冷媒熱交換器から前記第１水冷媒熱交換器に流れるように設定する第１直列流路形成手段（ステップＳ９２）と、
前記上流側切換弁と前記下流側切換弁とによって、前記第１水冷媒熱交換器と前記第２水冷媒熱交換器とを直列に流れる温水の向きを、前記第１水冷媒熱交換器から前記第２水冷媒熱交換器に流れるように設定する第２直列流路形成手段（ステップＳ１０２）と、を備えることを特徴とする請求項６に記載の冷凍サイクル装置。
【請求項１１】
前記第１水冷媒熱交換器と前記第２水冷媒熱交換器とは直列に接続されて直列体（１３１４）を構成し、前記直列体は、前記温水回路から温水が供給され、
前記直列体の上流側と下流側とに合計２個の弁から構成された直列体上流側切換弁（７ａｃ）と直列体下流側切換弁（７ｂｄ）とを有し、
前記制御装置は、前記直列体上流側切換弁と前記直列体下流側切換弁とによって前記直列体に流れる温水の向きを前記第２水冷媒熱交換器（１４）から前記第１水冷媒熱交換器（１３）に流れるように設定する第１直列体流路形成手段（ステップＳ１４１）と、
前記直列体上流側切換弁と前記直列体下流側切換弁によって前記直列体に流れる温水の向きを前記第１水冷媒熱交換器から前記第２水冷媒熱交換器に流れるように設定する第２直列体流路形成手段（ステップＳ１４４）と、を備えることを特徴とする請求項１から５のいずれか一項に記載の冷凍サイクル装置。
【請求項１２】
前記直列体に流れる温水の向きを所定時間ごとに交互に反対方向に切り替える交互流路形成手段（ステップＳ１４２、Ｓ１４３、Ｓ１４５、Ｓ１４６）を備えることを特徴とする請求項１１に記載の冷凍サイクル装置。
【請求項１３】
更に、前記室内熱交換器（１７ａ、１７ｂ）を通過する空調風を前記温水回路に流れる温水の熱でリヒートするリヒートコア（１７ａｈ、１７ｂｈ）を備えることを特徴とする請求項５に記載の冷凍サイクル装置。
【請求項１４】
前記リヒートコア及び前記室内熱交換器は、前記第１冷凍サイクル回路と前記第２冷凍サイクル回路の夫々に複数設けられることを特徴とする請求項１３に記載の冷凍サイクル装置。
【請求項１５】
前記リヒートコアと、前記室内熱交換器と、この室内熱交換器に風を流す送風機（１７ａｈｆ、１７ｂｈｆ）とを夫々有する複数のモジュール（１７ａＭ、１７ｂＭ）を備え、前記モジュールは、車両天井部に配置されていることを特徴とする請求項１３又は１４に記載の冷凍サイクル装置。
【請求項１６】
前記第１冷凍サイクル回路及び前記第２冷凍サイクル回路は、ガスインジェクションサイクルであることを特徴とする請求項１から１５のいずれか一項に記載の冷凍サイクル装置。
【請求項１７】
前記第１冷凍サイクル回路及び前記第２冷凍サイクル回路は、バス内を空調する冷凍サイクルであることを特徴とする請求項１から１６のいずれか一項に記載の冷凍サイクル装置。
【発明の詳細な説明】
【技術分野】
【０００１】
本発明は、複数のヒートポンプを構成する冷凍サイクル回路と複数の水冷媒熱交換器を持ち、一方のヒートポンプで空気中から吸熱した熱を、温水回路を介して他方のヒートポンプ側に移し、他方の除霜運転に活用できるようにした冷凍サイクル装置に関する。
【背景技術】
【０００２】
従来技術となる特許文献１は、複数の冷凍サイクル回路を持つ装置である。この装置の目的は、熱の供給を継続しながら除霜でき、更に、除霜を実行しても、熱の供給量の変動を抑制することができるヒートポンプ装置を提供することにある。このため、ひとつの冷凍サイクル回路が除霜運転するときに、他のひとつの冷凍サイクル回路が熱の供給量を増加させることができるヒートポンプ装置を提供している。
【先行技術文献】
【特許文献】
【０００３】
【特許文献１】特開２０１３−２３１５２２号公報
【発明の概要】
【発明が解決しようとする課題】
【０００４】
上記の従来技術は、いずれも除霜時間の短縮という目的のために複数の冷凍サイクル回路の熱と温水回路の熱とを有効に活用できる装置ではない。本発明は、複数の冷凍サイクル回路と温水回路とを有する冷凍サイクル装置において、一方の冷凍サイクル回路で吸熱した熱を、温水回路を介して他方の冷凍サイクル回路の除霜に活用することで、除霜効率を向上させ除霜時間の短縮を図ることを目的とする。
【０００５】
従来技術として列挙された特許文献の記載内容は、この明細書に記載された技術的要素の説明として、参照によって導入ないし援用することができる。
【課題を解決するための手段】
【０００６】
本発明は上記目的を達成するために、下記の技術的手段を採用する。すなわち、本発明の冷凍サイクル装置は、第１冷凍サイクル回路（１）と、第２冷凍サイクル回路（２）と、熱源（３）を冷却する温水回路（５）とを備える。
【０００７】
また、冷凍サイクル装置は、第１冷凍サイクル回路と第２冷凍サイクル回路と温水回路とを制御する制御装置（６）を備える。更に、冷凍サイクル装置は、温水回路と第１冷凍サイクル回路との熱交換を行う第１水冷媒熱交換器（１３）を有する。更に、冷凍サイクル装置は、温水回路と第２冷凍サイクル回路との熱交換を行う第２水冷媒熱交換器（１４）を備える。
【０００８】
第１冷凍サイクル回路と第２冷凍サイクル回路とは、夫々第１室外熱交換器（１５ａ）、及び第２室外熱交換器（１５ｂ）を介して空気中から熱を汲み上げるヒートポンプを構成する。
【０００９】
制御装置（６）は、第１冷凍サイクル回路が第１室外熱交換器（１５ａ）における除霜のための除霜運転になると、温水回路の温水の温度と第１冷凍サイクル回路を流れる冷媒の高圧吐出ガス温度とを比較する。その結果、第１冷凍サイクル回路が温水から吸熱できる状態であると判定した場合は、第１水冷媒熱交換器（１３）に温水回路の温水を流す第１流量制御手段（ステップＳ４２）を有する。
【００１０】
また、制御装置は、第２冷凍サイクル回路が第２１室外熱交換器における除霜のための除霜運転になると、温水回路の温水の温度と第２冷凍サイクル回路を流れる冷媒の高圧吐出ガス温度とを比較する。その結果、第２冷凍サイクル回路が温水から吸熱できる状態であると判定した場合は、第２水冷媒熱交換器に温水回路の温水を流す第２流量制御手段（ステップＳ５２）を有する。
【００１１】
この発明によれば、第１冷凍サイクル回路が室外熱交換器における除霜のための除霜運転になると、温水回路の温水の温度と第１冷凍サイクル回路を流れる冷媒の高圧吐出ガス温度とを比較する。第１冷凍サイクル回路が吸熱できる状態であると判定した場合は、第１水冷媒熱交換器に温水回路の温水を流すから、温水回路の熱を利用して第１冷凍サイクル回路における室外熱交換器の除霜効率を向上させ、除霜時間の短縮を図ることができる。また、第２水冷媒熱交換器によって、第２冷凍サイクル回路と温水との熱交換を行い、温水の温度低下を抑制できる。
【００１２】
また、第２冷凍サイクル回路が室外熱交換器における除霜のための除霜運転になると、温水回路の温水の温度と第２冷凍サイクル回路を流れる冷媒の高圧吐出ガス温度とを比較する。第２冷凍サイクル回路が吸熱できる状態であると判定した場合は、第２水冷媒熱交換器に温水回路の温水を流すから、温水回路の熱を利用して第２冷凍サイクル回路における室外熱交換器の除霜効率を向上させ、除霜時間の短縮を図ることができる。更に、第１水冷媒熱交換器によって、第１冷凍サイクル回路と温水との熱交換を行い、温水の温度低下を抑制できる。
【００１３】
なお、特許請求の範囲及び上記各手段に記載の括弧内の符号ないし説明は、後述する実施形態に記載の具体的手段との対応関係を分かり易く示す一例であり、発明の内容を限定するものではない。
【図面の簡単な説明】
【００１４】
【図１】本発明の第１実施形態を示す冷凍サイクル装置の構成図である。
【図２】上記実施形態における電子膨張弁等の制御を示す表である。
【図３】上記実施形態における除霜運転制御のフローチャートである。
【図４】図３の制御において第１冷凍サイクル回路が除霜時における弁の作動を示すフローチャートである。
【図５】図３の制御において第２冷凍サイクル回路が除霜時における弁の作動を示すフローチャートである。
【図６】本発明の第２実施形態における冷凍サイクル装置の並列流路を示す一部構成図である。
【図７】本発明の第２実施形態における冷凍サイクル装置の第１直列流路を示す一部構成図である。
【図８】本発明の第２実施形態における冷凍サイクル装置の第２直列流路を示す一部構成図である。
【図９】上記第２実施形態における除霜運転制御において並列流路と第１直列流路の切り替えを示すフローチャートである。
【図１０】上記第２実施形態における除霜運転制御において並列流路と第２直列流路の切り替えを示すフローチャートである。
【図１１】本発明の第３実施形態における第１直列体流路を示す冷凍サイクル装置の一部構成図である。
【図１２】上記第３実施形態における第２直列体流路を示す冷凍サイクル装置の一部構成図である。
【図１３】上記第３実施形態における擬似並列流路形成制御を説明する冷凍サイクル装置の一部を示す説明図である。
【図１４】上記第３実施形態における流路の切り替えによる擬似並列流路形成制御を示すフローチャートである。
【図１５】本発明の第４実施形態を示す冷凍サイクル装置の構成図である。
【図１６】上記第４実施形態における制御を示すフローチャートである。
【図１７】図１６のステップＳ１６４の詳細を示すフローチャートである。
【図１８】図１６のステップＳ１６６の詳細を示すフローチャートである。
【図１９】本発明の第５実施形態を示す冷凍サイクル装置の構成図である。
【図２０】第５実施形態における制御の概要を示すフローチャートである。
【図２１】本発明の第６実施形態を示す冷凍サイクル装置の構成図である。
【図２２】第６実施形態におけるモジュールのバス天井における配置図である。
【図２３】本発明の第７実施形態を示す冷凍サイクル装置の構成図である。
【発明を実施するための形態】
【００１５】
以下に、図面を参照しながら本発明を実施するための複数の形態を説明する。各形態において先行する形態で説明した事項に対応する部分には同一の参照符号を付して重複する説明を省略する場合がある。各形態において構成の一部を説明している場合は、構成の他の部分については先行して説明した他の形態を適用することができる。
【００１６】
各実施形態で具体的に組合せが可能であることを明示している部分同士の組合せばかりではなく、特に組合せに支障が生じなければ、明示していなくても実施形態同士を部分的に組合せることも可能である。
【００１７】
（第１実施形態）
以下、本発明の第１実施形態について図１ないし図５を用いて詳細に説明する。図１を用いて、本発明の第１実施形態を示す冷凍サイクル装置の構成を説明する。この車両用空調装置は、第１冷凍サイクル回路１と第２冷凍サイクル回路２と熱源３を冷却する温水回路５と、第１冷凍サイクル回路１及び第２冷凍サイクル回路２と温水回路５とを制御する制御装置６とを有する。
【００１８】
制御装置６は、三方弁から構成された切換弁７や第１冷凍サイクル回路１及び第２冷凍サイクル回路２内の電子膨張弁８ａ、８ｂ、圧縮機９ａ、９ｂ、第１電磁弁１０ａ、１０ｂ、第２電磁弁１１ａ、１１ｂ等の制御を行う。しかし、この場合の制御装置６から送信される制御信号は省略されて図示されている。切換弁７は、温水回路５の温水を第１水冷媒熱交換器１３と第２水冷媒熱交換器１４とをバイパスして矢印Ｙ１のように流す機能を有する。
【００１９】
更に、第１冷凍サイクル回路１と第２冷凍サイクル回路２とは、温水回路５と第１冷凍サイクル回路１との熱交換を行う第１水冷媒熱交換器１３と、温水回路５と第２冷凍サイクル回路２との熱交換を行う第２水冷媒熱交換器１４とを備える。
【００２０】
温水回路５は、エンジンを熱源３として構成されている。温水回路５には、車両に搭載され熱源３となるエンジンと、エンジン冷却水を循環させるウォータポンプ３１とを有している。また、温水回路５には、燃料を燃やして温水の温度を上昇させる燃焼器３２と、温水の温度を外気に放熱するラジエータ３３と、温水と車両の室内に向かう空調風との熱交換を行うヒータコア３４とが配置されている。第１冷凍サイクル回路１と第２冷凍サイクル回路２とは、夫々第１室外熱交換器１５ａ、及び第２室外熱交換器１５ｂを介して空気中から熱を汲み上げるヒートポンプを構成している。
【００２１】
図２は、制御装置６による電子膨張弁等の制御を示す表である。図１の第１電磁弁１０ａ、１０ｂと第２電磁弁１１ａ、１１ｂ等の作動について述べる。第１冷凍サイクル回路１と第２冷凍サイクル回路２とでは、夫々以下の４つのモードがある。
【００２２】
冷房モードでは、水冷媒熱交換器１３、１４及び第１室外熱交換器１５ａ、及び第２室外熱交換器１５ｂで放熱し、室内熱交換器１７ａ、１７ｂで吸熱する。そのために電子膨張弁１８ａ、１８ｂは全開、電子膨張弁８ａ、８ｂは流量制御し、エバポレータとして機能する室内熱交換器１７ａ、１７ｂの温度を制御する。電磁弁１０ａ、１０ｂは閉、電磁弁１１ａ、１１ｂも閉とする。
【００２３】
暖房モードでは、水冷媒熱交換器１３、１４で放熱し、第１室外熱交換器１５ａ、及び第２室外熱交換器１５ｂで吸熱する。そのために電子膨張弁１８ａ、１８ｂは流量制御し、エバポレータとして機能する第１室外熱交換器１５ａ、及び第２室外熱交換器１５ｂの温度を制御する。電子膨張弁８ａ、８ｂは開閉いずれでもよいが（関係なしだが）、閉とする。第１電磁弁１０ａ、１０ｂは閉、第２電磁弁１１ａ、１１ｂは開とする。
【００２４】
暖房除湿モードでは、水冷媒熱交換器１３、１４で放熱し、第１室外熱交換器１５ａ、第２室外熱交換器１５ｂ及び室内熱交換器１７ａ、１７ｂで吸熱する。そのために第２電子膨張弁１８ａ、１８ｂは流量制御し、エバポレータとして機能する第１室外熱交換器１５ａ、第２室外熱交換器１５ｂの温度を制御する。第１電子膨張弁８ａ、８ｂも流量制御する。第１電磁弁１０ａ、１０ｂは開とする。第２電磁弁１１ａ、１１ｂも開とする。
【００２５】
除霜モードでは、水冷媒熱交換器１３、１４で吸熱又は何もせず、第１室外熱交換器１５ａ、第２室外熱交換器１５ｂで放熱する。そのために第２電子膨張弁１８ａ、１８ｂは全開とする。第１電子膨張弁８ａ、８ｂは開閉いずれでもよいが、閉とする。第１電磁弁１０ａ、１０ｂは閉とする。第２電磁弁１１ａ、１１ｂは開とする。
【００２６】
逆止弁１６ａ、１６ｂがないと、圧縮機９ａ、９ｂ→水冷媒熱交換器１３、１４→第１電磁弁１０ａ、１０ｂ→（逆止弁部）→第２電磁弁１１ａ、１１ｂ→アキュムレータ１９ａ、１９ｂ→圧縮機９ａ、９ｂという回路が形成されてしまう。よって暖房除湿モードにおける不要な回路の形成を防止するため、逆止弁１６ａ、１６ｂを設けている。
【００２７】
図３及び図４は、図１の制御装置６において実行される制御のフローチャートの一例である。図３において、制御装置６は、暖房モードにおいて、複数の冷凍サイクル回路の内、一方の冷凍サイクルである第１冷凍サイクル回路１が第１室外熱交換器１５ａにおける除霜のための除霜運転になる。すると、他方の冷凍サイクルである第２冷凍サイクル回路２の除霜運転が禁止される。
【００２８】
たとえば、オートエアコン作動であればエアコンスイッチＯＮ中に室内温度が所定値よりも下がったとき、あるいはマニュアルエアコン作動であれば暖房スイッチがＯＮされて、暖房運転が開始される。すると、ステップＳ３１にて、第１冷凍サイクル回路１が除霜運転か否かを判定する。ＹＥＳの場合ステップＳ３５で第２冷凍サイクル回路２での除霜運転を禁止する。そしてステップＳ３６に進む。
【００２９】
このステップＳ３６の詳細を図４において図示する。ステップＳ４１にて温水回路５の温水の温度と第１冷凍サイクル回路１を流れる高温高圧の冷媒の吐出ガス温度とを比較し、温水の温度が高くステップＳ４１でＮＯと判定されることがある。
【００３０】
この時は、第１冷凍サイクル回路１側が吸熱できる状態であると判定される。この場合は、ステップＳ４２において、水冷媒熱交換器１３に温水回路５の温水を流すように第１流量制御弁２１ａ（図１）を開く。第１流量制御弁２１ａは第１流量制御手段（ステップＳ４２）によって制御される。
【００３１】
逆に、ステップＳ４１において、温水の温度が比較的低く、温水の温度より第１冷凍サイクル回路１の冷媒吐出温度の方が高い（ＹＥＳ）と判定されると、ステップＳ４５に進む。そして、水冷媒熱交換器１３に温水回路５の温水を流さないように第１流量制御弁２１ａを閉じる。ステップＳ４２、ステップＳ４５の後に、ステップＳ４３では第２流量制御弁２１ｂを開く。第２流量制御弁２１ｂは第２流量制御手段（ステップＳ５２）により制御される。
【００３２】
これによれば、一方の冷凍サイクル回路１が室外熱交換器における除霜のための除霜運転になると、温水回路５の温水の温度と一方の冷凍サイクル回路１を流れる冷媒の高圧吐出ガス温度とを比較する。その結果、一方の冷凍サイクル回路１側が吸熱できる状態であると判定した場合は、一方の第１水冷媒熱交換器１３に温水回路５の温水を流す。
【００３３】
そのため、温水回路５の熱を利用して一方の冷凍サイクル回路１における第１室外熱交換器１５ａの除霜効率を向上させ、除霜時間の短縮を図ることができる。また他方の冷凍サイクル回路２は、除霜運転ではないため、ステップＳ４３では第２流量制御弁２１ｂを開く。そして、他方の第２水冷媒熱交換器１４を介して冷媒の熱を温水回路５に伝達することができる。
【００３４】
制御装置６は、暖房モードにおいて、複数の冷凍サイクル回路の内、他方の冷凍サイクル回路２が第２室外熱交換器１５ｂにおける除霜のための除霜運転になると、一方の冷凍サイクル回路１の除霜運転を禁止する。
【００３５】
そのために、図３のステップＳ３２にて、第２冷凍サイクル回路２が除霜運転か否かを判定する。ＹＥＳの場合ステップＳ３３で第１冷凍サイクル回路１での除霜運転を禁止する。そしてステップＳ３４に進む。
【００３６】
このステップＳ３４の詳細を図５において図示する。ステップＳ５１にて温水回路５の温水の温度と第２冷凍サイクル回路２を流れる冷媒の高圧吐出ガス温度とが比較される。そして、温水の温度が高くステップＳ５１でＮＯと判定される場合、第２冷凍サイクル回路２側が吸熱できる状態であると判定し、ステップＳ５２において、水冷媒熱交換器１４に温水回路５の温水を流すように第２流量制御弁２１ｂを開く。
【００３７】
逆に、ステップＳ５１において、温水の温度が比較的低く、温水の温度より第２冷凍サイクル回路２の冷媒吐出温度の方が高い（ＹＥＳ）と判定される場合がある。この場合は、ステップＳ５５に進み、水冷媒熱交換器１４に温水回路５の温水を流さないように第２流量制御弁２１ｂを閉じる。そして、ステップＳ５５の後に、ステップＳ５３では第１流量制御弁２１ａを開く。
【００３８】
図４のように、第１冷凍サイクル回路１が第１室外熱交換器１５ａにおける除霜のための除霜運転になると、第２冷凍サイクル回路２側では、第２水冷媒熱交換器１４へ温水を流す第２流量制御弁２１ｂの開度は全開とする（ステップＳ４３）。これにより、温水回路５と第２水冷媒熱交換器１４とが熱交換する。そのため、暖房のための温水の温度維持が図れると共に、他方の第２冷凍サイクル回路２の第２室外熱交換器１５ｂで汲み上げた熱をもう一方の第１冷凍サイクル回路１へ温水回路５を介して受け渡すことができる。
【００３９】
よって他方の第２冷凍サイクル回路２で空気から吸熱した熱と温水とから吸熱した熱とを温水回路５を介して一方の第１冷凍サイクル回路１の除霜に利用することで除霜効率を向上させ除霜時間の短縮を図ることができる。
【００４０】
温水回路５は、車両に搭載された熱源３となるエンジンを冷却する回路から構成される。温水回路５は、熱源３を成すエンジンと、このエンジンを冷却する温水を循環させるウォータポンプ３１と、第１水冷媒熱交換器１３と、第２水冷媒熱交換器１４と、燃料を燃やして温水の温度を上昇させる燃焼器３２とを備える。また、温水回路５は、ラジエータ３３と、ヒータコア３４と、第１水冷媒熱交換器１３と第２水冷媒熱交換器１４との夫々に流入する温水流量を調整する第１流量制御弁２１ａと第２流量制御弁２１ｂとを備える。
【００４１】
ラジエータ３３は、温水の温度が必要以上に上昇した場合に外気に放熱する。ヒータコア３４は、熱源３を冷却し車室内に送風する空調風を温める。なお、第１流量制御弁２１ａと第２流量制御弁２１ｂは、開度を微調整できる弁でなく断続する周知のＯＮＯＦＦ弁を用いて構成することもできる。流量を多く流すときはＯＮの期間を長くすればよい。
【００４２】
第１冷凍サイクル回路１と第２冷凍サイクル回路２とは、夫々、圧縮機９ａ、９ｂと、室内熱交換器１７ａ、１７ｂと、第１室外熱交換器１５ａ、及び第２室外熱交換器１５ｂと、第１電子膨張弁８ａ、８ｂとを備える。温水回路５の温水が流れる第１水冷媒熱交換器１３と第２水冷媒熱交換器１４とは、夫々高圧の冷媒が流される。
【００４３】
暖房時において、第１室外熱交換器１５ａ、及び第２室外熱交換器１５ｂは、車両の外部の空気と熱交換する。これによれば、複数の冷凍サイクル回路１、２から冷媒の熱が、第１水冷媒熱交換器１３と第２水冷媒熱交換器１４とを介して温水回路５の温水を加熱することができる。かつ、第１冷凍サイクル回路１と第２冷凍サイクル回路２とは、冷媒が逆流するのを防止する逆止弁１６ａ、１６ｂと、第１電磁弁１０ａ、１０ｂと、第２電磁弁１１ａ、１１ｂと、余剰の冷媒を溜めるアキュムレータ１９ａ、１９ｂとを備える。
【００４４】
更に、温水の温度センサ３５と、高圧吐出ガス温度を検出する吐出温度センサ３６ａ、３６ｂと、第１室外熱交換器１５ａ、及び第２室外熱交換器１５ｂの熱交換用のフィンの温度を検出する除霜判定用センサ３７ａ、３７ｂとが備えられている。これらのセンサからの信号が制御装置６に接続されている。温水の温度センサ３５は、第１水冷媒熱交換器１３と第２水冷媒熱交換器１４とを流れる温水の温度を計測する。吐出温度センサ３６ａ、３６ｂは、圧縮機９ａ、９ｂを出た冷媒の吐出温度を検出する。
【００４５】
図４のように第１冷凍サイクル回路が除霜運転の場合において、第１冷凍サイクル回路１の吐出温度が温水の温度より高い場合は、第１流量制御手段（ステップＳ４２）によって第１流量制御弁２１ａを閉じる。これにより温度の低い温水は、第１冷凍サイクル回路１から熱を受け取らない。
【００４６】
第１冷凍サイクル回路１の吐出温度が温水の温度より高くない場合は、ステップＳ４２で第１流量制御弁２１ａを開く。これにより温水は、第１冷凍サイクル回路１に熱を伝達する。そしてその後、ステップＳ４３で第２流量制御弁２１ｂを開く。これにより温水は、第２冷凍サイクル回路２から熱を受けとる。
【００４７】
図５のように、第２冷凍サイクル回路２が除霜運転の場合において、第２冷凍サイクル回路の吐出温度が温水の温度より高い場合は、ステップＳ５５にて第２流量制御弁２１ｂを閉じる。これにより温度の低い温水は、第２冷凍サイクル回路２から熱を受け取らない。
【００４８】
第２冷凍サイクル回路２の吐出温度が温水の温度より高くない場合は、ステップＳ５２で第２流量制御弁２１ｂを開く。これにより温水は、第２冷凍サイクル回路２に熱を伝達する。そしてその後、第１流量制御弁２１ａを開く。これにより温水は、第１冷凍サイクル回路１から熱を受けることができる。
【００４９】
第１冷凍サイクル回路１が除霜モードの場合、第２冷凍サイクル回路２は暖房である。そのため、一般的には第２冷凍サイクル回路２の冷媒吐出温度がヒータコア３４後の温水の温度より高くなる。
【００５０】
仮に、これが燃焼器３２の働き等で逆になってしまった場合は、第２冷凍サイクル回路２側で放熱する部分がなくなってしまい、冷媒吐出温度が上昇し、いずれ冷媒吐出温度が温水の温度より高くなる。通常、温水の温度が所定温度より高いときは燃焼器３２が停止する。
【００５１】
（第１実施形態の作用効果）
次に、第１実施形態の作用効果をまとめて記載する。上記第１実施形態においては、第１冷凍サイクル回路１が第１室外熱交換器１５ａにおける除霜のための除霜運転になると、図４のように、温水回路５の温水の温度と第１冷凍サイクル回路１を流れる冷媒の高圧吐出ガス温度とを比較する。そして、第１冷凍サイクル回路１が吸熱できる状態であると判定した場合は、第１水冷媒熱交換器１３に第１流量制御弁２１ａにて温水回路５の温水を流す。よって、温水回路５の熱を利用して第１冷凍サイクル回路１における第１室外熱交換器１５ａの除霜効率を向上させ、除霜時間の短縮を図ることができる。
【００５２】
また、第２冷凍サイクル回路２が室外熱交換器１５ｂにおける除霜のための除霜運転になると、図５のように、温水回路５の温水の温度と第２冷凍サイクル回路２を流れる冷媒の高圧吐出ガス温度とを比較する。そして、第２冷凍サイクル回路２が吸熱できる状態であると判定した場合は、第２水冷媒熱交換器１４に第２流量制御弁２１ｂにて温水回路５の温水を流す。よって、温水回路５の熱を利用して第２冷凍サイクル回路２における第２室外熱交換器１５ｂの除霜効率を向上させ、除霜時間の短縮を図ることができる。
【００５３】
更に、一方の冷凍サイクル回路１が第１室外熱交換器１５ａにおける除霜のための除霜運転になると、他方の冷凍サイクル回路２では、第２水冷媒熱交換器１４へ温水を流す第２流量制御弁２１ｂの開度を全開とする。従って、暖房のための温水の温度維持と共に、他方の冷凍サイクル回路２の第２室外熱交換器１５ｂで汲み上げた熱をもう一方の冷凍サイクル回路１へ温水回路５と第１水冷媒熱交換器１３とを介して受け渡すことができる。よって他方の冷凍サイクル回路２で空気から吸熱した熱と温水から吸熱した熱とを、温水回路５を介して、一方の冷凍サイクル回路１の除霜に利用することで除霜効率を向上させ、除霜時間の短縮を図ることができる。
【００５４】
そして、エンジンが発生する熱を利用して車両室内の暖房及び複数の冷凍サイクル回路における夫々の除霜を効率よく行うことができる。また温水の温度が低いときに燃焼器３２で温水を加熱できる。また温水回路５は車両の下部にエンジンと共に設けられることが多いのでヒータコア３４によって足もとを温めることができる。
【００５５】
また、第１冷凍サイクル回路１及び第２冷凍サイクル回路２から冷媒の熱を第１水冷媒熱交換器１３と第２水冷媒熱交換器１４に与え、更に温水が流れる第１水冷媒熱交換器１３と第２水冷媒熱交換器１４とを介して温水回路５の温水を加熱することができる。
【００５６】
更に、温水の温度センサ３５は第１水冷媒熱交換器１３及び第２水冷媒熱交換器１４に分岐する前の位置で計測するから、センサの個数を少なくすることができる。
【００５７】
また、第１冷凍サイクル回路１が除霜運転の場合において、図４のように第１冷凍サイクル回路１の吐出温度が温水の温度より高い場合は、第１流量制御弁２１ａを閉じ、温度の低い温水と、第１冷凍サイクル回路との熱伝達を阻止する。よって、第１冷凍サイクル回路１の除霜に悪影響を与えない。これにより熱が移動してしまうことによる除霜したい室外熱交換器の冷媒温度が下がってしまうのを防止し、除霜時間が長くなるのを防止できる。また、このときに第２流量制御弁２１ｂを開くことにより第２冷凍サイクル回路２側から温水に熱を移動させ、暖房性能を維持できる。
【００５８】
更に、第２冷凍サイクル回路２が除霜運転の場合において、図５のように第２冷凍サイクル回路２の吐出温度が温水の温度より高い場合は、第２流量制御弁２１ｂを閉じ、温度の低い温水と、第２冷凍サイクル回路との熱伝達を阻止する。そのため、第２冷凍サイクル回路２側から温水側への熱の移動を防ぐことができる。これにより熱が移動してしまうことによる除霜したい第２室外熱交換器１５ｂの冷媒温度が下がってしまうのを防止し、除霜時間が長くなるのを防止できる。また、第１流量制御弁２１ａを開くことにより第１冷凍サイクル回路１側から温水に熱を移動させ、暖房性能を維持できる。
【００５９】
（第２実施形態）
次に、本発明の第２実施形態について説明する。なお、以降の各実施形態においては、上記した第１実施形態と同一の構成要素には同一の符号を付して説明を省略し、異なる構成について説明する。なお、第２実施形態以下については、第１実施形態と同じ符号は、同一の構成を示すものであって、先行する説明が援用される。
【００６０】
この第２実施形態は、基本的には熱源３となるエンジンからの温水が第１水冷媒熱交換器１３と第２水冷媒熱交換器１４とに図６のように並列にながれる。しかし、複数の流路切換弁（三方弁ともいう）の作動により、第１水冷媒熱交換器１３と第２水冷媒熱交換器１４とに温水が直列に流れるように変更可能である。
【００６１】
図６を用いて、本発明の第２実施形態を示す冷凍サイクル回路を説明する。並列流路を示す図６において、メイン切換弁７（単に切換弁ともいう）は、温水回路５のエンジン冷却水からなる温水を第１水冷媒熱交換器１３と第２水冷媒熱交換器１４とに並列に流す。
【００６２】
図６のように、メイン切換弁７のほかに、第１水冷媒熱交換器１３と第２水冷媒熱交換器１４との夫々の温水の流入側と流出側とに夫々設けられた第１上流側切換弁７ａが設けられている。かつ、第１下流側切換弁７ｂと、第２上流側切換弁７ｃと、第２下流側切換弁７ｄとが更に備えられている。
【００６３】
第１上流側切換弁７ａから第２下流側切換弁７ｄの作動を切り替えて、温水がメイン切換弁７から第１水冷媒熱交換器１３と第２水冷媒熱交換器１４とを並列に流れる流路を形成する図９の並列流路形成手段（ステップＳ９５）を制御装置６内に備える。かつ、制御装置６は、温水がメイン切換弁７から第１水冷媒熱交換器１３と第２水冷媒熱交換器１４とを直列に流れる流路を形成する直列流路形成手段（ステップＳ９２）を備える。
【００６４】
これによれば、複数の切換弁で流路を切り替えて温水が第１水冷媒熱交換器１３と第２水冷媒熱交換器１４とを並列に流れたり直列に流れたりするのを切り替えることができる。また、直列に流れる場合は、第１水冷媒熱交換器１３と第２水冷媒熱交換器１４との内、暖房側を上流側にし、除霜側を下流側にすることができる。
【００６５】
図７に示す第１直列流路は、実線で示した流れのように、暖房側の第２水冷媒熱交換器１４に先に温水を流し、この下流側において除霜側の第１水冷媒熱交換器１３に温水を流す。図８に示す第２直列流路は、実線で示した流れのように、暖房側の第１水冷媒熱交換器１３に先に温水を流し、この下流側において除霜側の第２水冷媒熱交換器１４に温水を流す。これによって、暖房側の水冷媒熱交換器で冷媒から吸熱した熱を、すぐ下流側の水冷媒熱交換器の除霜に使用することができる。
【００６６】
並列流路を形成する図６の基本構成の場合、除霜中でない冷凍サイクル回路の水冷媒熱交換器から温水に与えられた熱は、温水回路を一回りしないと除霜中の冷凍サイクル回路に与えられない。
【００６７】
しかし、流路を切り替えて直列流路とすることにより、除霜中でない冷凍サイクル回路の水冷媒熱交換器から温水に与えられた熱は、温水回路を一回りすることなく、すぐに下流側の除霜中の冷凍サイクル回路に与えることができる。
【００６８】
また、第１直列流路と第２直列回路とが設定できるため、第１水冷媒熱交換器１３と第２水冷媒熱交換器１４との内、いずれの水冷媒熱交換器が除霜側になっても、除霜側でない水冷媒熱交換器に先に温水を流すことができる。これにより、温水が冷媒側から吸熱してから、除霜側の水冷媒熱交換器に吸熱した熱を受渡し、すぐに除霜に使うことができる。
【００６９】
次に、第２実施形態の作動を図９及び図１０に基づいて説明する。まず、第１冷凍サイクル回路１が除霜側、第２冷凍サイクル回路２が暖房側の第１直列流路と並列流路図との切り替えを説明する。
【００７０】
図９において、制御がスタートすると、ステップＳ９１において、第１冷凍サイクル回路１の冷媒吐出温度は、圧縮機９ａを出た冷媒の吐出温度を検出する吐出温度センサ３６ａで検出され、温水の温度と比較される。温水の温度は温水の温度センサ３５で検出される。
【００７１】
冷媒の吐出温度が温水の温度より高くないＮＯの場合は、第１直列流路形成手段を成すステップＳ９２に進み、図７の第１直列流路を形成する。すなわち、第１上流側切換弁７ａは第２水冷媒熱交換器１４の下流から第１水冷媒熱交換器１３の上流への流路を形成する、切換弁７ｂは、第１水冷媒熱交換器１３から合流部５ｊへの流路を形成する。
【００７２】
切換弁７ｃは、分岐部５ｂから第２水冷媒熱交換器１４の上流への流路を形成する。切換弁７ｄは第２水冷媒熱交換器１４の下流から第１水冷媒熱交換器１３の上流への流路を形成する。このように、メイン切換弁７と第１上流側切換弁７ａから第２下流側切換弁７ｄの作動を切り替える。
【００７３】
このように、温水がメイン切換弁７から第１水冷媒熱交換器１３と第２水冷媒熱交換器１４とを図７のように直列に流れる流路を形成する図９のステップＳ９２から成る直列流路形成手段を実行する。
【００７４】
次に、ステップＳ９３に進み、第１流量制御弁２１ａを開き、温水を第１水冷媒熱交換器１３に流す。次に、ステップＳ９４にて暖房中の第２冷凍サイクル回路２により温水が加熱されるように、第２流量制御弁２１ｂを開く。
【００７５】
ステップＳ９１において、冷媒の吐出温度が温水の温度より高いＹＥＳの場合は、並列流路形成手段を成すステップＳ９５に進む。そして、図６の並列流路を形成するように、メイン切換弁７と第１上流側切換弁７ａから第２下流側切換弁７ｄの作動を切り替える。
【００７６】
すなわち、切換弁７ａは分岐部５ｂから第１水冷媒熱交換器１３の上流への流路を形成する、切換弁７ｂは、第１水冷媒熱交換器１３から合流部５ｊへの流路を形成する。切換弁７ｃは、分岐部５ｂから第２水冷媒熱交換器１４の上流への流路を形成する。切換弁７ｄは、第２水冷媒熱交換器１４下流から合流部５ｊへの流路を形成する。
【００７７】
このように、温水がメイン切換弁７から第１水冷媒熱交換器１３と第２水冷媒熱交換器１４とを並列に流れる流路を形成する図９のステップＳ９５から成る並列流路形成手段が実行される。
【００７８】
次に、ステップＳ９６に進み、図６の第１流量制御弁２１ａを閉じ、その後、ステップＳ９４にて第２流量制御弁２１ｂを開く。また、図８の第２冷凍サイクル回路２が除霜側、第１冷凍サイクル回路１が暖房側の第２直列流路と並列流路との切り替えを説明する。図１０において、制御がスタートすると、ステップＳ１０１において、第２冷凍サイクル回路２の冷媒吐出温度を、圧縮機９ｂを出た冷媒の吐出温度を検出する吐出温度センサ３６ｂで検出し、温水の温度と比較する。
【００７９】
冷媒の吐出温度が、温水の温度より高くないＮＯの場合は、ステップＳ１０２に進む。そして、図８の第２直列流路を形成するように、メイン切換弁７と、合計４個の弁から成る第１上流側切換弁７ａから第２下流側切換弁７ｄの作動を切り替える。これにより、温水がメイン切換弁７から第１水冷媒熱交換器１３と第２水冷媒熱交換器１４とを直列に流れる流路が形成される。
【００８０】
つまり、図１０のステップＳ１０２から成る第２直列流路形成手段が実行される。次に、ステップＳ１０３に進み、第２流量制御弁２１ｂを開き、その後、ステップＳ１０４にて第１流量制御弁２１ａが開かれる。
【００８１】
ステップＳ１０１において、冷媒の吐出温度が温水の温度より高いＹＥＳの場合は、ステップＳ１０５に進む。そして、図６の並列流路が形成されるように、メイン切換弁７と第１上流側切換弁７ａから第２下流側切換弁７ｄの作動を切り替える。
【００８２】
この結果、温水がメイン切換弁７から第１水冷媒熱交換器１３と第２水冷媒熱交換器１４とを並列に流れる流路を形成するステップＳ１０５から成る並列流路形成手段が実行される。次に、ステップＳ１０６に進み、第２流量制御弁２１ｂを閉じ温度の低い温水を第２水冷媒熱交換器１４に流さない。その後、ステップＳ１０４にて第１流量制御弁２１ａを開く。
【００８３】
（第２実施形態の作用効果）
第２実施形態によれば、切換弁７ａから切換弁７ｄで流路を切り替えて、温水が第１水冷媒熱交換器１３と第２水冷媒熱交換器１４とを並列に流れたり直列に流れたりを切り替えることができる。また、直列に流れる場合は第１水冷媒熱交換器１３と第２水冷媒熱交換器１４との内のいずれを下流側とするか上流側とするかを制御することができる。このため、冷媒から吸熱した熱を除霜にすぐに活用できる。また並列に流すことで、温水回路の熱を除霜に活用し、かつ温水回路の温水を冷媒側から加熱することができ、温水回路による暖房性能を向上させることができる。
【００８４】
また、第２実施形態によれば、暖房側の水冷媒熱交換器で冷媒から吸熱した熱を下流側の水冷媒熱交換器の除霜にすぐに使用することができる。更に、並列流路形成手段が形成した流路の並列流路を形成する基本構成の場合、除霜中でない冷凍サイクル回路の水冷媒熱交換器から温水に与えられた熱は、温水回路を一回りしないと除霜中の冷凍サイクル回路に与えられない。しかし流路を切り替えて直列流路とすることにより、除霜中でない冷凍サイクル回路の水冷媒熱交換器から温水に与えられた熱は、温水回路を一回りすることなく、すぐに下流側の除霜中の冷凍サイクル回路に与えることができる。
【００８５】
また、第１水冷媒熱交換器と第２水冷媒熱交換器の内、いずれの水冷媒熱交換器が除霜運転になっても、除霜側でない水冷媒熱交換器に先に温水を流し、温水が冷媒側から吸熱してから、除霜側の水冷媒熱交換器において、吸熱した熱を除霜に使うことができる。
【００８６】
第２実施形態によれば、第１水冷媒熱交換器１３と第２水冷媒熱交換器１４とが隣接して配置され、かつ直列に温水が流れるように接続されている。この明細書においては、このように接続された第１水冷媒熱交換器１３と第２水冷媒熱交換器１４とを直列体１３１４と総称する。そして第２実施形態によれば、この直列体１３１４に流れる温水の向きを変更できる。この結果、第１水冷媒熱交換器と、第２水冷媒熱交換器のいずれが暖房側、除霜側になっても暖房側から除霜側に向けて温水を流し、冷媒から吸熱して除霜に使用できる。
【００８７】
（第３実施形態）
次に、本発明の第３実施形態について説明する。上記した実施形態と異なる部分を説明する。この第３実施形態は第２実施形態の流路切換弁の簡素化を図り、擬似的な並列流路と直列流路の切り替えを達成する。
【００８８】
図１１において、温水回路５からメイン切換弁７を介して第１水冷媒熱交換器１３と第２水冷媒熱交換器１４との夫々を直列に温水が流れる。第１水冷媒熱交換器１３と、第２水冷媒熱交換器１４とは直列に接続されて温水回路５からメイン切換弁７を介して温水が供給される。
【００８９】
第１水冷媒熱交換器１３と、第２水冷媒熱交換器１４との直列体１３１４の上流側と下流側とに合計２個の弁から成る直列体上流側切換弁７ａｃと直列体下流側切換弁７ｂｄとを有している。制御装置６は、直列体上流側切換弁７ａｃと直列体下流側切換弁７ｂｄとによって、直列体１３１４に流れる温水の向きを図１１のように第２水冷媒熱交換器１４から第１水冷媒熱交換器１３に流れるように設定する第１直列体流路形成手段を有する。
【００９０】
制御装置６における第１直列体流路形成制御が開始されると、図１１のように、メイン切換弁７と直列体上流側切換弁７ａｃとは、温水をメイン切換弁７から第２水冷媒熱交換器１４の下流側に流すように切り替えられる。また、直列体下流側切換弁７ｂｄは第１水冷媒熱交換器１３の上流から合流部５ｊに向けて温水が流れるように切り替えられる。
【００９１】
次に、制御装置６は、直列体上流側切換弁７ａｃと直列体下流側切換弁７ｂｄとによって直列体１３１４に流れる温水の向きを第１水冷媒熱交換器１３から第２水冷媒熱交換器１４に流れるように設定する第２直列体流路形成手段を有する。
【００９２】
制御装置６における第２直列体流路設定制御が開始されると、図１２のように、直列体上流側切換弁７ａｃは、温水をメイン切換弁７から第１水冷媒熱交換器１３の上流側に流すように切り替えられる。また、直列体下流側切換弁７ｂｄは第２水冷媒熱交換器１４下流から合流部５ｊに温水が流れるように切り替えられる。
【００９３】
また、図１３の上部と下部に示すように、あらかじめ定めた所定時間ごとに第１直列流路の設定と第２直列体流路の設定とを交互に切り替える。つまり、制御装置６は、直列体上流側切換弁７ａｃと直列体下流側切換弁７ｂｄとによって直列体１３１４に流れる温水の向きを所定時間ごとに交互に反対方向に切り替える交互流路形成手段を備える。
【００９４】
これによれば、図１２のように、第１水冷媒熱交換器１３から第２水冷媒熱交換器１４に流れるように設定する第２直列体流路形成手段（ステップＳ１４４）によって第１水冷媒熱交換器１３によって冷媒から温水が吸熱する。この吸熱した温水を第１水冷媒熱交換器１３から第２水冷媒熱交換器１４に流して除霜を効率よく実行できる。
【００９５】
逆に、図１１のように、第２水冷媒熱交換器１４から第１水冷媒熱交換器１３に流れるように設定する第１直列体流路形成手段によって、第２水冷媒熱交換器１４によって冷媒から温水が吸熱する。そして、吸熱した温水を第１水冷媒熱交換器１３に流して除霜を効率よく実行できる。
【００９６】
更に、直列体１３１４に流れる温水の向きを所定時間ごとに切り替える交互流路形成手段によって、温水が第１水冷媒熱交換器１３と第２水冷媒熱交換器１４とに並列に流れるのと同様の擬似的な並列流路を構成できる。しかも、これらの切換弁はメイン切換弁に２つの切換弁である直列体上流側切換弁７ａｃと直列体下流側切換弁７ｂｄとを追加するだけで済むから弁の構成が簡素化できる。
【００９７】
図１４に第３実施形態の制御のフローチャートを示す。第１冷凍サイクル回路１と第２冷凍サイクル回路２とが同時に暖房運転のときにおいて、制御がスタートする。次に、第１直列体流路形成手段を構成するステップＳ１４１において、直列体上流側切換弁７ａｃは、温水をメイン切換弁７から第２水冷媒熱交換器１４の下流側に流すように切り替えられる。また、直列体下流側切換弁７ｂｄは第１水冷媒熱交換器１３の上流から合流部５ｊに温水が流れるように切り替えられる。
【００９８】
次にステップＳ１４２において、タイマー手段が所定時間経過すると、ステップＳ１４３に進み、タイマー手段のカウント時間をリセットする。また、第２直列体流路形成手段を構成するステップＳ１４４において、直列体上流側切換弁７ａｃは、温水をメイン切換弁７から第１水冷媒熱交換器１３の上流側に流すように切り替えられる。
【００９９】
また、直列体下流側切換弁７ｂｄは、第２水冷媒熱交換器１４の下流から合流部５ｊに温水が流れるように切り替えられる。次にステップＳ１４５において、所定時間経過したかを判定して制御をステップＳ１４６に移行させ、タイマー手段の時間をリセットする。
【０１００】
図１４において、ステップＳ１４２、１４３とステップＳ１４５、１４６とは、交互流路形成手段を構成する。なお、省略したが、フローチャートの循環中に運転停止が指示されると制御を終了する。
【０１０１】
（第３実施形態の作用効果）
次に第３実施形態の作用効果をまとめて説明する。第３実施形態によれば、直列体１３１４に流れる温水の向きを変更できる。また、直列体１３１４に流れる温水の向きを所定時間ごとに切り替える交互流路形成手段を備えるから、擬似的に第１水冷媒熱交換器１３と、第２水冷媒熱交換器１４とを温水が並列に流れるのと同様の効果が得られる。かつ流路を切り替える直列体上流側切換弁７ａｃと直列体下流側切換弁７ｂｄの個数を少なくすることができる。
【０１０２】
（第４実施形態）
図１５の第４実施形態は、複数の冷凍サイクル回路１、２と熱源を冷却する温水回路５と、各冷凍サイクル回路１、２と温水回路５とを制御する制御装置６とを備える。更に第４実施形態は、温水回路５、４３と一方の冷凍サイクル回路１との熱交換を行う第１水冷媒熱交換器１３と、温水回路５、４３と他方の冷凍サイクル回路２との熱交換を行う第２水冷媒熱交換器１４とを備える。
【０１０３】
温水回路は、熱源３を通るループを構成する温水回路５と、熱源３とは分離独立したループを形成する独立温水回路４３とを有する。複数の冷凍サイクル回路１、２は、夫々第１室外熱交換器１５ａ、及び第２室外熱交換器１５ｂを介して空気中から熱を汲み上げるヒートポンプを構成している。
【０１０４】
次に、この第４実施形態は、第１冷凍サイクル回路１と第２冷凍サイクル回路２において、車室内の冷房又は暖房を行う。このときは、温水回路５と第１冷凍サイクル回路１と第２冷凍サイクル回路２とが第１水冷媒熱交換器１３と第２水冷媒熱交換器１４とを介して熱の授受を行う。
【０１０５】
しかし、除霜時に温水から冷凍サイクル側が吸熱できる条件の時は、専用の独立ウォータポンプ４２で第１水冷媒熱交換器１３と第２水冷媒熱交換器１４との間を矢印Ｙ１６１、Ｙ１６２のように循環する独立温水回路４３を構成する。独立ウォータポンプ４２は、インペラの回転により流体を流すウォータポンプ３１と同様の非容積型ポンプである。
【０１０６】
これにより、複数の冷凍サイクルの一方である、たとえば第１冷凍サイクル回路１が、除霜運転の時に、独立温水回路４３に温水を循環させる。そして、除霜運転を行わない他方の冷凍サイクル回路である、たとえば第２冷凍サイクル回路２の冷媒の熱を、独立温水回路４３を介して、除霜中の冷凍サイクル回路に熱を伝える。
【０１０７】
この場合、独立温水回路４３とエンジンを通過する温水回路５とは連通せずに切り離され、独立温水回路４３の熱を存分に除霜のために使用しても温水回路５の温度が低下しない。これにより、エンジンを通過する温水回路５は、エンジンの熱をエンジン側ウォータポンプ３１によってヒータコア３４にエンジンからの熱を供給できるので、ヒータコア３４の温度が低下せず、暖房性能を確保できる。
【０１０８】
制御装置６は、複数の冷凍サイクル回路１、２の内、一方の冷凍サイクル回路１が第１室外熱交換器１５ａにおける除霜のための除霜運転になると、温水回路５、４３の温水の温度と一方の冷凍サイクル回路１を流れる冷媒の高圧吐出ガス温度とを比較する。
【０１０９】
その結果、一方の冷凍サイクル側が温水回路５、４３から吸熱できる状態であると判定した場合は、第１水冷媒熱交換器１３に温水回路５、４３の温水を流す。この温水を流すために独立ウォータポンプ４２と第１流量制御弁２１ａとが備えられている。
【０１１０】
また、第１水冷媒熱交換器１３と第２水冷媒熱交換器１４とに熱源３を通過する温水回路５からの温水を流す切換弁７が備えられている。このように除霜時に冷凍サイクルが温水から吸熱できる時は、独立温水回路４３に温水を循環させ、温水回路をエンジンを流れる温水回路から独立させる。除霜でないとき、又は除霜時に冷凍サイクルが温水から吸熱できない時は、冷凍サイクル回路の冷媒の熱で、温水回路５、４３を加熱することができる。
【０１１１】
図１６において第４実施形態のフローチャートを説明する。暖房モードにおいて制御がスタートすると、ステップＳ１６１において、第１冷凍サイクル回路１が除霜運転かどうかを判定する。第１冷凍サイクル回路１が除霜運転でない場合はステップＳ１６２において、第２冷凍サイクル回路２が除霜運転かどうかを判定する。ステップＳ１６２において第２冷凍サイクル回路２が除霜運転の場合、ステップＳ１６３において第１冷凍サイクル回路１の除霜運転を禁止し、暖房運転を継続する。そしてステップ１６４へ進む。
【０１１２】
このステップＳ１６４の詳細を図１７において図示する。図１７のステップＳ１７１において、第２冷凍サイクル回路２の圧縮機９ｂの吐出温度が温水の温度より高いか否かを判定する。吐出温度が温水の温度より高くない場合は、ステップＳ１７２で第２流量制御弁２１ｂを開く。次に、ステップＳ１７３で第１流量制御弁２１ａを開く。そして、ステップＳ１７４において、切換弁７を図１５のように切り替え、温水回路５と独立温水回路４３とを分離させる。次に、ステップＳ１７５で独立ウォータポンプ４２をＯＮする。
【０１１３】
ステップＳ１７１において、第２冷凍サイクル回路２の圧縮機の吐出温度が温水の温度より高いか否かを判定した結果、吐出温度が温水の温度より高い場合は、ステップＳ１７６で第２流量制御弁２１ｂを閉じる。次に、ステップＳ１７７で第１流量制御弁２１ａを開く。そして、ステップＳ１７８において、切換弁７を図１のように切り替え、温水回路５と独立温水回路４３とを連通させる。次に、ステップＳ１７９で独立ウォータポンプ４２をＯＦＦする。
【０１１４】
また、図１６のステップＳ１６１において、第１冷凍サイクル回路１が除霜運転の場合、ステップＳ１６５において第２冷凍サイクル回路２の除霜運転を禁止し、暖房運転を継続させる。そしてステップ１６６へ進む。
【０１１５】
このステップＳ１６６の詳細を図１８において図示する。図１８の、ステップＳ１８１において、第１冷凍サイクル回路１の圧縮機９ａの吐出温度が温水の温度より高いか否かを判定する。吐出温度が温水の温度より高くない場合は、ステップＳ１８２で第１流量制御弁２１ａを開く。次に、ステップＳ１８３で第２流量制御弁２１ｂを開く。そして、ステップＳ１８４において、切換弁７を図１５のように切り替え、温水回路５と独立温水回路４３とを分離させる。次に、ステップＳ１８５で独立ウォータポンプ４２をＯＮする。
【０１１６】
ステップＳ１８１において、第１冷凍サイクル回路１の圧縮機９ａの吐出温度が温水の温度より高いか否かを判定した結果、吐出温度が温水の温度より高い場合は、ステップＳ１８６で第１流量制御弁２１ａを閉じる。次に、ステップＳ１８７で第２流量制御弁２１ｂを開く。そして、ステップＳ１８８において、切換弁７を図１のように切り替え、温水回路５と独立温水回路４３とを連通させる。次に、ステップＳ１８９で独立ウォータポンプ４２をＯＦＦする。
【０１１７】
（第４実施形態の作用効果）
次に第４実施形態の作用効果をまとめて説明する。第４実施形態によれば、第１水冷媒熱交換器１３と第２水冷媒熱交換器１４とを結ぶ独立温水回路４３によって除霜運転を行う冷凍サイクル回路に他の冷凍サイクル回路からの冷媒の熱を供給できる。
【０１１８】
従って、第１室外熱交換器１５ａ、及び第２室外熱交換器１５ｂの除霜効率を向上させ、除霜時間の短縮を図ることができる。かつ、独立温水回路４３と熱源３を通過する温水回路５とを切り離して温水を流すから、熱源４を通過する温水回路５の温水の温度を極端に下げることが無い。
【０１１９】
つまり、ヒータコア３４を有する熱源３側の温水回路５と独立温水回路４３を分離独立させることで、一方の冷凍サイクル回路から水冷媒熱交換器で吸熱した熱を存分に他方の冷凍サイクル回路の除霜に利用してもヒータコアによる暖房を極端に低下させない。
【０１２０】
（第５実施形態）
次に第５実施形態を説明する。上記した第１〜第４実施形態は、複数の水冷媒熱交換器をもつシステムであるが、除湿暖房ができない。図１９に示す第５実施形態は、上記問題に鑑み、除湿暖房が可能であり、複数の空調可能なゾーンを設定できゾーンごとのゾーン空調を行えるシステムを提供する。特に、バス内のゾーンごとに狙いの温度調節を可能とする。また、空調ダクトの中に空調風の流れを切り替えるダンパーなど追加部品を持つ必要がなく、細かい温度制御ができるリヒート式の空調装置を提供する。
【０１２１】
以下、第５実施形態を図１９に基づいて具体的に説明する。室内熱交換器１７ａ、１７ｂに温水回路５の温水が流れるリヒートコア１７ａｈ、１７ｂｈが隣接して設けられている。室内熱交換器１７ａ、１７ｂを通過した空調風はリヒートコア１７ａｈ、１７ｂｈによってリヒートされる。リヒートの程度、つまり温度調節の程度は、リヒートコア１７ａｈ、１７ｂｈを流れる温水量を調整する流調弁１７ａｈｖ、１７ｂｈｖによって夫々調節される。その他の構成は図１と同様である。
【０１２２】
車両天井のエアコンユニット内にリヒートコア１７ａｈ、１７ｂｈを持ち、除湿暖房運転を可能にする。また、エアコンユニットを室内熱交換器１７ａ、リヒートコア１７ａｈ、これら室内熱交換器１７ａ、リヒートコア１７ａｈに送風する送風機１７ａｈｆ、電子膨張弁８ａ、及び流調弁１７ａｈｖを１セットとしている。この１セットは、破線のようにモジュール１７ａＭとして一体化している。
【０１２３】
リヒートコア１７ｂｈ側も同様にモジュール１７ｂＭとして一体化している。このようにモジュール化することで、夫々のゾーンごとの温調を可能にしている。この第５実施形態における制御の概要を図２０に示して説明する。制御がスタートすると、ステップＳ２０１において、車内の空気温度である内気温度、外気温度、内気湿度、温水の温度等の各種センサからの計測値を読みとる。次に、ステップＳ２０２において、ゾーンごとのつまり配置されたモジュールが受け持つ領域ごとの設定された温度設定値を読み込む。
【０１２４】
次に、ステップＳ２０３において運転モードを決定し、決定した運転モードに応じてステップＳ２０４、ステップＳ２０５、ステップＳ２０６のいずれかに進む。この運転モードの決定は、車両運転者からの操作信号、又は車室内温度と現在の温度設定値との偏差から決定しても良い。送風モードが決定された場合はステップＳ２０４に進み、送風機１７ａｈｆ、１７ｂｈｆに通電する。
【０１２５】
また、冷房モードが決定された場合はステップＳ２０５に進み、室外熱交換器１５ａ、１５ｂにて放熱し、室内熱交換器１７ａ、１７ｂで室内を冷房するために送風機１７ａｈｆ、１７ｂｈｆの風量を制御し、圧縮機９ａ、９ｂの可変容量制御を実行する。また電子膨張弁１８ａ、１８ｂ等の制御を実行する。
【０１２６】
更に、暖房モードが決定された場合はステップＳ２０６に進み、図１９の室外熱交換器１５ａ、１５ｂにて吸熱し、室内熱交換器１７ａ、１７ｂで除湿し、送風機１７ａｈｆ、１７ｂｈｆの風量を制御し、圧縮機９ａ、９ｂの可変容量制御を実行する。また電子膨張弁１８ａ、１８ｂ等の制御を実行する。更に、室内熱交換器１７ａ、１７ｂにて除湿した空調風をリヒートコア１７ａｈ、１７ｂｈでリヒートする。リヒートの程度は、リヒートコア１７ａｈ、１７ｂｈに流れる温水量を流調弁１７ａｈ１ｖ等の開度にて制御する。
【０１２７】
（第５実施形態の作用効果）
第５実施形態では、室内熱交換器１７ａ、１７ｂを通過する空調風を温水回路５が流れる温水の熱でリヒートするリヒートコア１７ａｈ、１７ｂｈを備える。よって、冷凍サイクルから熱を受けとることができ高温を保持しやすい温水を利用して、除湿暖房を含めた空調制御を行うことができる。特に、バスにおいてリヒートコアを天井部に設ければ足元のヒータコア３４からの暖房と上のリヒートコア１７ａｈ、１７ｂｈからの暖房とを組み合わせることができる。
【０１２８】
（第６実施形態）
次に第６実施形態を説明する。上記した第５実施形態は、一つの冷凍サイクル回路に一つの破線で示したモジュールを設けたが、この第６実施形態は、図２１のように一つの冷凍サイクル回路に複数のモジュール１７ａＭ１〜１７ａＭ３を設けている。また、図２２のように、バスの左側の空調を第１冷凍サイクル回路１にて行い、バスの右側の空調を第２冷凍サイクル回路２にて行うように、モジュール１７ａＭ１〜１７ｂＭ３を配置している。
【０１２９】
図１の第１実施形態は、複数の水冷媒熱交換器をもつシステムであるが、蒸発器から成る室内熱交換器とセットでリヒートコアを持たないため、除湿暖房ができない。また、１つの冷凍サイクル回路に対し、蒸発器から成る室内熱交換器が１台しか設けられていないため、ゾーン空調が細かく設定できないという問題がある。
【０１３０】
第６実施形態は、上記問題に鑑み、バスのように空調領域が前後に長い場合や、大量輸送のために車体が２連以上につながっている連接バスのような場合に、３か所以上のゾーン空調を行えるシステムを提供する。また、バス内のゾーンごとに個別の温度調節を可能とする。また、空調ダクトの中に空調風の流れを切り替えるダンパーなど追加部品がなくても、温度制御ができる空調装置を提供する。
【０１３１】
以下、第６実施形態を図２１に基づいて具体的に説明する。図２１に示すように室内熱交換器１７ａ１〜１７ａ３の夫々に、温水回路５の温水が流れるリヒートコア１７ａｈ１、１７ａｈ２、１７ａｈ３が隣接して設けられている。室内熱交換器１７ａ１、１７ａ２、１７ａ３を通過した空調風は、夫々リヒートコア１７ａｈ１、１７ａｈ２、１７ａｈ３によってリヒートされる。
【０１３２】
リヒートの程度、つまり温度調節の程度は、リヒートコア１７ａｈ１、１７ａｈ２、１７ａｈ３に流れ込む温水量を調整する流調弁１７ａｈ１ｖ等によって夫々調節される。その他の構成は図１と同様である。室内熱交換器１７ｂ１〜１７ｂ３の側も同様である。
【０１３３】
車両天井のエアコンユニット内にリヒートコア１７ａｈ１等を持ち除湿暖房運転を可能にする。また、エアコンユニットを蒸発器から成る室内熱交換器１７ａ１、リヒートコア１７ａｈ１、これら室内熱交換器１７ａ１、リヒートコア１７ａｈ１に送風する送風機、電子膨張弁８ａ１及び流調弁１７ａｈ１ｖを１セットとしている。この１セットはモジュール１７ａＭ１として一体化している。
【０１３４】
電子膨張弁８ａ２及び流調弁１７ａｈ２ｖを持つモジュール１７ａＭ２は、室内熱交換器、リヒートコア、これら室内熱交換器とリヒートコアに送風する送風機を１セットとしてモジュール化している。電子膨張弁８ａ３及び流調弁１７ａｈ３ｖを持つモジュール１７ａＭ３も同様である。
【０１３５】
リヒートコア１７ｂｈ１〜１７ｂｈ３側も同様にモジュール１７ｂＭ１〜１７ｂＭ３として一体化している。このようにモジュール化することで、夫々のゾーンごとの温調をきめ細やかにすると共に、各モジュールの配置を工夫することで、ユニットの車両前後方向のサイズの違いや、連接バスなどの特殊対応にも柔軟に対応できる。
【０１３６】
図２２は２台の車体が蛇腹状の通路５０にて連結された連接バスの天井部を上から見たところの第６実施形態におけるモジュール１７ａＭ１〜１７ａＭ３、１７ｂＭ１〜１７ｂＭ３の配置図である。車体の長さ、又は連接の有無に応じてモジュールの数及び配置を決めることで長さが異なるバスの車内への空調風の導入を適切化することができる。
【０１３７】
（第６実施形態の作用効果）
第６実施形態においては、リヒートコア１７ａｈ１〜１７ａｈ３、１７ｂｈ１〜１７ｂｈ３は、冷凍サイクル回路１、２の夫々に複数設けられる。よって複数のリヒートコアからの暖房風を分散して車内を空調できる。また、リヒートコア１７ａｈ１〜１７ｂｈ３は、室内熱交換器１７ａ１〜１７ｂ３と各室内熱交換器に送風する送風機と共にモジュールを形成し、車両天井部の少なくとも６か所にモジュールが配置されている。よって、モジュールごとにゾーン空調が決め細かく設定できる。また車体の長さに応じてモジュールの数と配置を変えることで長い車体の的確な空調制御に容易に対応できる。
【０１３８】
（第７実施形態）
次に、第７実施形態を説明する。この第７実施形態は、図２３のように、冷凍サイクル回路にガスインジェクションサイクルを採用したものである。ガスインジェクションサイクルを採用することで低外気温時の暖房能力の向上を図ることができる。ガスインジェクションサイクルは、単段サイクルの減圧部に２つの膨張弁５５ａ１、５５ａ２を設け、更にこの２つの膨張弁５５ａ１、５５ａ２の間に気液分離器５６ａを設けた構成である。
【０１３９】
ガスインジェクションサイクルでは、凝縮器を成す第１水冷媒熱交換器１３を出た高圧力の液冷媒が上流側の膨張弁５５ａ１で中間圧のインジェクション圧力まで減圧されて所定乾き度の気液二相となり、気液分離器５６ａに入る。気液分離器５６ａでは、飽和ガス冷媒と飽和液冷媒に分離される。その後、飽和液冷媒は、下流側の膨張弁５５ａ２で更に減圧されて低圧力で室外熱交換器１５ａに入る。この室外熱交換器１５ａにて吸熱及び蒸発して圧縮機９ａに吸込まれる。
【０１４０】
下流側の膨張弁５５ａ２は固定絞りにて構成されている。電磁弁５５ａ３は、ガスインジェクションをしないときは膨張弁５５ａ２の両端を短絡して冷媒を流す。この時は膨張弁５５ａ２を成す固定絞りの両端に差圧が発生しないため差圧弁５７ａは閉じてガスインジェクションを行わない。この膨張弁５５ａ２と差圧弁５７ａとは、統合弁として電磁弁５５ａ３等と一体に構成できる。ガスインジェクションを行うときは、飽和ガス冷媒が、圧縮機９ａ内の圧縮室にインジェクションされる。
【０１４１】
このガスインジェクションサイクルでは、気液分離により蒸発器から成る室外熱交換器１５ａ入口での冷媒乾き度が減少するので、冷凍効果は、図１のような単段サイクルより優れる。蒸発能力は冷媒流量と冷凍効果との積で表わされるため、蒸発能力を一定とすると、インジェクションサイクルでの蒸発側冷媒流量は、単段サイクルでの冷媒流量よりも少なくなる。このため、低段側断熱圧縮エンタルピー差と冷媒流量との積から成る圧縮機の低段側圧縮仕事が低減され、冷凍サイクルの効率が向上する。
【０１４２】
なお実際のガスインジェクションサイクルでは、蒸発器から成る室外熱交換器１５ａを流れる冷媒流量が少なくなる。それに加えて、室外熱交換器１５ａ入口乾き度の低減により室外熱交換器１５ａ内の冷媒の比容積が小さくなり、室外熱交換器１５ａ側冷媒流の圧力損失が低減する。この結果、圧縮機吸込圧力が上昇して圧縮仕事を更に低減できる。
【０１４３】
第２冷凍サイクル回路２においても同様に減圧部に２つの膨張弁５５ｂ１、５５ｂ２を設け、更にこの２つの膨張弁５５ｂ１、５５ｂ２の間に気液分離器５６ｂを設けた構成にしている。ガスインジェクションサイクルでは、凝縮器を成す第２水冷媒熱交換器１４を出た高圧力の液冷媒が上流側の膨張弁５５ｂ１で中間圧のインジェクション圧力まで減圧されて所定乾き度の気液二相となり、気液分離器５６ｂに入る。気液分離器５６ｂでは、飽和ガス冷媒と飽和液冷媒に分離される。その後、飽和液冷媒は、下流側の膨張弁５５ｂ２で更に減圧されて低圧力の蒸発器からなる室外熱交換器１５ｂに入り、吸熱及び蒸発して圧縮機９ｂに吸込まれる。一方飽和ガス冷媒は、圧縮機９ｂ内の圧縮室にインジェクションされる。
【０１４４】
（第７実施形態の作用効果）
第７実施形態では、第１冷凍サイクル回路１及び第２冷凍サイクル回路２は、ガスインジェクションサイクルである。よって、複数の冷凍サイクルによる温水の有効利用だけでなく効率の良い冷凍サイクルにより車両内を空調でき、更に省エネルギーを図れる。
【０１４５】
（他の実施形態）
上記の実施形態では、本発明の好ましい実施形態について説明したが、本発明は上記した実施形態に何ら制限されることなく、本発明の主旨を逸脱しない範囲において種々変形して実施することが可能である。上記実施形態の構造は、あくまで例示であって、本発明の範囲はこれらの記載の範囲に限定されるものではない。本発明の範囲は、特許請求の範囲の記載によって示され、更に、特許請求の範囲の記載と均等の意味及び範囲内での全ての変更を含むものである。
【０１４６】
除霜するかしないかは、室外熱交換器のフィン温度で制御してもよいし所定時間ごとにタイマーで除霜を開始してもよい。制御装置６は、空調制御装置（エアコンＥＣＵ）としてまとめて構成されるが第１冷凍サイクル回路と第２冷凍サイクル側とに分けて構成しても良い。二つの冷凍サイクル回路に分ければ、故障した場合に、故障しない方の片側運転が可能になる場合がある。また、一つの圧縮機の容量を小さくできるので、大型の圧縮機を製造する必要がなくなる。基本的には、制御装置６を１つのＥＣＵで両方の冷凍サイクル回路及び温水回路を制御するが、温水回路の制御を冷凍サイクルの制御と切り離しても良い。
【０１４７】
図４のステップＳ４３、及び図５のステップＳ５３をスタートの直後に持ってきてもよい。図１５において、破線で示した流量制御弁４１は設けずに、この部分を単なる配管部としたが、独立ウォータポンプ４２が作動するとき確実に流れを分けるため、流量制御弁４１を破線部に追加することも可能である。
【０１４８】
また、センサで実測した温水の温度と除霜中サイクルの吐出温度とを比較したが、温水の温度は、除霜中でないサイクルの冷媒の吐出温度、又は該吐出温度に一定の係数（０〜１の範囲）を乗じた温度を温水の温度として、比較してもよい。
【０１４９】
更に、水冷媒熱交換器と温水回路との熱交換を阻止するために弁を閉じて水冷媒熱交換器に温水を流さない例を示したが、バイパス弁を開いて水冷媒熱交換器と温水回路との熱交換を阻止するために水冷媒熱交換器を流れる温水又は冷媒をバイパスさせても良い。
【符号の説明】
【０１５０】
１  第１冷凍サイクル回路
２  第２冷凍サイクル回路
５  温水回路
６  制御装置
１３  第１水冷媒熱交換器
１４  第２水冷媒熱交換器
２１ａ  第１流量制御弁、
４２  独立ウォータポンプ
３４  ヒータコア
【図１】
0006380265.tif 000002
【図２】
0006380265.tif 000003
【図３】
0006380265.tif 000004
【図４】
0006380265.tif 000005
【図５】
0006380265.tif 000006
【図６】
0006380265.tif 000007
【図７】
0006380265.tif 000008
【図８】
0006380265.tif 000009
【図９】
0006380265.tif 000010
【図１０】
0006380265.tif 000011
【図１１】
0006380265.tif 000012
【図１２】
0006380265.tif 000013
【図１３】
0006380265.tif 000014
【図１４】
0006380265.tif 000015
【図１５】
0006380265.tif 000016
【図１６】
0006380265.tif 000017
【図１７】
0006380265.tif 000018
【図１８】
0006380265.tif 000019
【図１９】
0006380265.tif 000020
【図２０】
0006380265.tif 000021
【図２１】
0006380265.tif 000022
【図２２】
0006380265.tif 000023
【図２３】
0006380265.tif 000024